(57)【特許請求の範囲】
【請求項１】
尿によって封水を形成するトラップユニットを有する小便器において、
前記尿と接触する位置に微生物製剤が配置されており、
前記トラップユニット内には、飽和溶解度が２０ｇ／１００ｍｌ以下の酸を含む固形の薬剤が、前記トラップユニット内に設けられたガイドの上に配置されているか、または、前記トラップユニットの底面に配置されており、
前記微生物製剤と前記薬剤は接触しないように配置されていることを特徴とする、小便器。
【請求項２】
前記微生物製剤は、前記トラップユニット内または前記小便器の底面開口部の上に配置されていることを特徴とする、請求項１に記載の小便器。
【請求項３】
前記薬剤は、前記トラップユニットの底面に配置され、前記微生物製剤は、前記トラップユニットに設けられたガイドの上に配置されていることを特徴とする、請求項１または２に記載の小便器。
【請求項４】
前記酸は、Ｌ−アスコルビン酸、ＤＬ−マンデル酸、シュウ酸、コハク酸、アジピン酸、ピクリン酸、尿酸、無水フタル酸、フタル酸、フマル酸、ｐ−ヒドロキシ安息香酸、安息香酸、エデト酸からなる群から選ばれる１種以上であることを特徴とする、請求項１〜３のいずれか１項に記載の小便器。
【請求項５】
前記微生物製剤に含まれる微生物は、バチルス菌、パラコッカス菌、チオスフェラ菌からなる群から選ばれる一種以上であることを特徴とする、請求項１〜４のいずれか１項に記載の小便器。
【請求項６】
前記薬剤または前記微生物製剤は、内部に尿が入りこむような空間を形成する溝又は凹みが形成されていることを特徴とする、請求項１〜５のいずれか1項に記載の小便器。
【発明の詳細な説明】
【技術分野】
【０００１】
本発明は、尿によって封水を形成する小便器に関する。
【背景技術】
【０００２】
使用後に毎回水を供給することで、衛生性を維持する水洗式の小便器が広く普及している。人の尿は雑菌を含んでおり、使用後に小便器のボウル等に尿が残留すると、その尿中の雑菌が時間経過とともに更に増殖する。さらに、尿中の尿素を分解してアンモニアが生成されることで、アンモニア臭や尿石（尿の含有成分に由来するリン酸カルシウムやリン酸マグネシウム等の固形物）が発生する。このため、一般的な水洗式小便器では、小便器のボウルに水を吐出することにより、ボウルに残留している尿を洗い流す。
【０００３】
また、この従来の水洗式小便器では、ボウルに水を吐出することで、ボウルの下流に接続されているトラップ内にその水を流入させ、貯留されている尿をその水と置換させて排出している。さらに、トラップの下流に接続される排水管内に残留している尿を、ボウルからトラップを介して供給される水によって洗い流す。その後、トラップ内を水で満たした状態で水の吐出を終える。これにより、ボウル等に残留していた尿を、尿中の雑菌が著しく増殖する前に洗い流し、アンモニアの生成や尿石の発生を抑制し、臭気の発生や尿石による排水管詰まりを防止している。トラップ内を満たす水は封水として機能し、排水管からの臭気の逆流を防止する。洗浄後にはトラップ内に水しか存在しないので、トラップ内の封水が揮発し、小便器が設置されるトイレ室内に拡散した場合でも、その揮発成分が臭気の原因となることはない。
【０００４】
このような水を使用する設備機器に対し、近年、環境意識の高まりを受け、節水性能が要求されている。上記のような水洗式便器に対しても高い節水性能が要求されており、使用後の水の使用量を削減する取り組みが行われている。
【０００５】
節水の要求に対応する小便器の一例として、特表２００７−５１８００５号公報（特許文献１）に示されるようなトラップを備えた、非水洗式の小便器が知られている。一般的な水洗小便器が、使用後に毎回水を供給し、トラップ内に貯留される水を封水として用いるのに対し、特表２００７−５１８００５号公報に示されるトラップを備えた非水洗式小便器では、使用後の水の供給は基本的に行わず、トラップ内に貯留されている尿を封水として用いている。
【０００６】
トラップ内に貯留されている尿を封水として用いる場合、その尿が腐敗することでアンモニアが揮発してトイレ室内に拡散することによるアンモニア臭の発生や、トラップ内と配管内で尿石が発生することが懸念される。この懸念に対して、特表２００７−５１８００５号公報で示されたトラップでは、トラップの上やトラップと配管の接続部付近に薬剤を設置する事で問題の解決を図っている。トラップの上に、クエン酸等の薬剤が配置されており、尿との接触によって溶解した薬剤が、尿とともにトラップ内に流入する。更に、尿を配管に排出する位置にもクエン酸等の薬剤が配置されており、その接触によって溶解した薬剤が、尿とともに配管内に流入するように構成されている。
【先行技術文献】
【特許文献】
【０００７】
【特許文献１】特表２００７−５１８００５号公報
【発明の概要】
【発明が解決しようとする課題】
【０００８】
しかしながら、特表２００７−５１８００５号公報に記載されたような非水洗式の小便器は、使用後に水を流さない。そのため、小便器の使用時に尿が薬剤にかかった時のみ薬剤が溶解する。その為、小便器の使用頻度が低い場合、トラップユニット内に薬剤が流入しにくくなる。これにより、トラップ内の尿が腐敗しやすくなり、アンモニア臭の発生やトラップユニット内や配管内で尿石が発生しやすくなる。
【０００９】
トラップユニット内の尿石発生を防止する方法として、トラップユニット内に薬剤と微生物製剤とを配置する方法が挙げられる。薬剤と微生物製剤とをトラップユニット内に配置し、尿に浸漬させておくことによりトラップユニット内に薬剤と微生物製剤とを安定的に溶解させることができると考えられる。しかしながら、薬剤の溶解が進むにつれて、薬剤の容積が小さくなり、トラップユニット内のｐＨが上昇してしまう。これにより微生物製剤の活性が落ちてしまうという問題がある。また、薬剤の種類によっては、薬剤と微生物製剤とが接触することで微生物製剤に含まれる微生物が死んでしまい、微生物製剤の効果が得られないという問題もある。
【００１０】
そこで本発明は、特定の薬剤と微生物製剤とを用いることで、薬剤により微生物製剤が死んでしまうのを防ぎ、さらにトラップユニット内からのアンモニア臭の発生や、トラップユニット内や配管内での尿石の発生を長期的に防止することを目的としている。
【課題を解決するための手段】
【００１１】
上記目的を達成するために、本発明は、尿によって封水を形成するトラップユニットを有する小便器において、前記尿と接触する位置に微生物製剤が配置されており、前記トラップユニット内には、飽和溶解度が２０ｇ／１００ｍｌ以下の酸を含む固形の薬剤が配置されており、前記微生物製剤と前記薬剤は接触しないように配置されていることを特徴とする。
【発明の効果】
【００１２】
本発明によれば、トラップユニット内からのアンモニア臭の発生や、トラップ内や配管内での尿石の発生を長期的に防止することが可能となる。
【図面の簡単な説明】
【００１３】
【図１】本発明で用いることが可能な小便器の一例を示す概略図である。
【図２】図１の断面図である。
【図３】本発明の実施形態に係るトラップユニットの断面図である。
【図４】本発明の実施形態に係る薬剤の概略図である。
【図５】本発明の実施形態に係る薬剤の概略図である。
【図６】本発明の実施形態に係るトラップユニットの概略図である。
【図７】本発明の実施形態に係るトラップユニットの概略図である。
【図８】実施例の結果を表す図である。
【発明を実施するための形態】
【００１４】
以下、本発明を詳細に説明する。
【００１５】
（小便器）
本発明による小便器は、尿によって封水を形成するトラップユニットを有する小便器において、前記尿と接触する位置に微生物製剤が配置されており、前記トラップユニット内には、飽和溶解度が２０ｇ／１００ｍｌ以下の酸を含む固形の薬剤が配置されており、前記微生物製剤と前記薬剤は接触しないように配置されていることを特徴とする。
【００１６】
まず、図１，２を参照して本発明において用いることが可能な小便器ＵＳを説明する。図１は、小便器ＵＳの正面視を示す概略図である。ここに示す小便器はあくまでも一例であり、本発明の小便器はこれに限定されるものではない。
【００１７】
小便器本体１０は、その背面をトイレ室などの壁ＷＬに当接させて設置される。小便器本体１０は、陶器や樹脂材料といった任意の形に形成可能な材料及び形成方法で形成されているものである。
【００１８】
小便器本体１０は、ボウル部１０３と尿によって封水を形成するトラップユニット３０とを有する。ボウル部１０３は、使用者が立位姿勢で排出した尿を受ける部分である。ボウル部１０３は、立壁部１０４及び底面部１０５を有する。立壁部１０４は、用便中の使用者と対面してその尿を直接受ける部分であり、上下左右に延びる壁状部分である。底面部１０５には、底面開口部１０６が形成されている。底面部１０５は、立壁部１０４で受けて下方に流れた尿を、排水口である底面開口部１０６に案内する部分であり、前後左右に延びる床状部分である。底面部１０５によって底面開口部１０６に案内された尿は、底面開口部１０６からトラップユニット３０を通り、ボウル部１０３外である排水管ＷＴに排出される。本発明で用いられるトラップユニット３０については、後ほど説明する。
【００１９】
小便器本体１０は、ノズルカバー１０１と人体検知センサー１０２と衛生維持装置２０と、を有するものを用いることができる。小便器本体１０がこれらを有する場合の好ましい態様の一例を以下に説明する。
【００２０】
ノズルカバー１０１は、後述するノズルユニット２０２及びボウル乾燥ファン２０３を覆うためのカバーである。ノズルユニット２０２及びボウル乾燥ファン２０３は、小便器本体１０の上方に配置されているのが好ましい。よって、ノズルカバー１０１も小便器本体１０の上方に配置されているのが好ましい。
【００２１】
人体検知センサー１０２は、小便器ＵＳを使用する使用者を検知するためのセンサーである。人体検知センサー１０２は、ボウル部１０３の中央近傍の裏側に設けられているのが好ましい。人体検知センサー１０２は、マイクロ波を用いたセンサーであることが好ましい。人体検知センサー１０２は、立壁部１０４を透過させてマイクロ波を照射し、使用者の体で反射して戻ってくる反射波によって、使用者が使用中であることや、使用を終えて小便器ＵＳを離れたことを検知することができるものが好ましい。
【００２２】
衛生維持装置２０は、コントロールユニット２０１と、ノズルユニット２０２と、ボウル乾燥ファン２０３と、を有するものを用いることができる。衛生維持装置２０は、小便器本体１０の背面側に設けられているのが好ましい。コントロールユニット２０１は、ノズルユニット２０２及びボウル乾燥ファン２０３を駆動する制御信号を出力する。
【００２３】
ノズルユニット２０２は、ボウル部１０３の立壁部１０４上方に設けられ、コントロールユニット２０１から供給される液剤をボウル部１０３内に向けて吐出するものであることが好ましい。ノズルユニット２０２がボウル部１０３に液剤を吐出することで、ボウル部１０３の表面に存在する尿を発生源とするアンモニア臭や尿石の発生を抑制することが可能となる。液剤は、ボウル部１０３の表面に存在する尿を発生源とするアンモニア臭や尿石の発生を抑制する薬液が含まれている。ノズルユニット２０２の前面には、薄板状のノズルカバー１０１が設けられ、使用者から見えないようノズルユニット２０２を覆って、意匠性を向上させることが好ましい。
【００２４】
ボウル乾燥ファン２０３は、ボウル部１０３の立壁部１０４上方に設けられ、ノズルカバー１０１によって覆われているのが好ましい。ボウル乾燥ファン２０３の駆動により、ボウル部１０３内に送風してボウル部１０３を乾燥させることができる。
【００２５】
（トラップユニット）
図３を参照して本発明で用いられるトラップユニットを説明する。図３に示すように、トラップユニット３０は、胴体部３０１と底面３０２とを有するものである。
【００２６】
トラップユニット３０は、排水口である底面開口部１０６の下方に設けられる。トラップユニット３０は、底面開口部１０６から排出された尿をその内部に流入させる開口部を有する。また、トラップユニット３０は、流れ込んだ尿を貯留する胴体部３０１を有する。トラップユニット３０は、流れ込んだ尿を貯留して、尿によって封水を形成するように構成されている。トラップユニット３０の胴体部には排出口が設けられており、トラップユニット３０内に貯留できなくなった尿が排出口から排出される。トラップユニット３０内には、薬剤３１が尿に浸漬するぐらいの尿量が貯留されることが好ましく、そのために排出口は胴体部の上方側に設けられていることが好ましい。排出口から排出された尿は排水管ＷＴに排出される。このように尿を封水とすることで、トラップユニット３０の下流に接続されている排水管ＷＴからの臭気の逆流を防止している。トラップユニット３０は、底面開口部１０６に挿入して設置されており、交換可能に構成されている。トラップユニット３０が交換可能であることで、トラップユニット３０内に尿石が発生し、排水不良が起きたとしても、トラップユニット３０を交換することにより排水性能を復活させることが可能となる。
【００２７】
トラップユニット３０の形状としては、円柱、三角柱、四角柱などが挙げられる。例えば、トラップユニット３０の形状が円柱で有る場合、円柱の側面によって形成される部分が本発明における胴体部３０１であり、円柱の底面である円が本発明における底面３０２である。トラップユニット３０の形状が円柱である場合、薬剤３１をトラップユニット３０内に配置しやすい。
【００２８】
トラップユニット３０を構成する材料としては、水に溶けにくく、構造体として強度があり、酸に強いものであれば、特に限定されない。具体的な材料としては、樹脂や陶器が挙げられる。樹脂としては、ポリプロピレン（ＰＰ）、ポリメタクリ酸メチル（ＰＭＭＡ）、ポリカーボネート（ＰＣ）、ポリエチレン（ＰＥ）、ポリビニルアルコール（ＰＶＡ）、ポリ乳酸、エポキシ樹脂、ポリエステル樹脂などの公知の樹脂を用いることができる。
【００２９】
また、トラップユニット３０内には、薬剤３１や微生物製剤を配置するためのガイド３０３を設けても良い。ガイド３０３は、トラップユニット３０内に薬剤３１や微生物製剤を保持するためのものであり、ガイド３０３の上に薬剤３１や微生物製剤を配置することができるように構成されている。ガイド３０３は、トラップユニット３０の胴体部３０１の内壁に設けられているものが好ましい。具体的なガイド３０３の例としては、トラップユニット３０の胴体部３０１の内壁に凸部を数か所設けた構成や、トラップユニット３０の内壁の内周を覆うような凸部を設けた構成が挙げられる。また、ガイド３０３は、トラップユニット３０内に配置できる薬剤３１の大きさをできるだけ大きくするために、トラップユニット３０の底面付近に設けられるのが好ましい。
【００３０】
ガイド３０３は、尿がトラップユニット３０内を円滑に流れるような構成とすることが好ましい。例えば、ガイド３０３に尿が通るための連通孔を設けた構成が挙げられる。具体的な構成の例として、前述の凸部に、凸部を連通する孔が設けられている構成が挙げられる。孔の数や大きさは、配置する薬剤３１や微生物製剤の大きさやトラップユニット３０内を流れる尿量を考慮して決めることができる。ガイド３０３に孔を設ける場合、薬剤３１や微生物製剤は、ガイド３０３に設けられた孔を塞がないように配置される。ガイド３０３に孔を設けることで、トラップユニット３０内に流入した尿が、ガイド３０３の孔を通って薬剤３１の下に入りこんだり、薬剤３０の下に存在する尿がガイド３０３の孔を通って、トラップユニット３０に設けられた排出口から排出させたりすることが可能となる。
【００３１】
ガイドの具体的な構成について、図３を参照して説明する。図３には、トラップユニット３０内の底面付近にガイド３０３が設けられている。このガイド３０３は、トラップユニット３０の胴体部３０１の内壁の内周を覆うような凸部である。このガイド３０３の上に薬剤３１が載置されている。この場合において、ガイド３０３に孔が設けることにより、トラップユニット３０内に流入した尿が、ガイド３０３の孔を通って薬剤３１の下に入り込んだり、薬剤３０の下に存在する尿がガイド３０３の孔を通って、トラップユニット３０に設けられた排出口から排出できるようにしても良い。
【００３２】
本発明では、トラップユニット３０内に貯留された尿はｐＨが３以上８以下に保たれることが好ましい。ｐＨを３以上にすることで、配管ＷＴの腐食を防止することができる。またｐＨを８以下にすることで、微生物製剤の活性を維持することができる。これにより不揮発性のアンモニウムイオン（ＮＨ４＋）が、揮発性のアンモニア（ＮＨ３）に変化するのを抑制し、アンモニアが空気中に拡散するのを防止することができる。また、本発明では、トラップユニット内のｐＨを３以上７以下に保つことがさらに好ましい。ｐＨ７以下とすることで、尿石の生成を抑制することが可能となる。
【００３３】
（薬剤）
本発明のトラップユニット３０内には、飽和溶解度が２０ｇ／１００ｍｌ以下の酸を含む固形の薬剤３１が配置されている。なお、本発明において飽和溶解度とは、２５℃で測定した飽和溶解度を指す。これにより、トラップユニット３０内の尿に薬剤３１が溶けたとしても、薬剤３１の影響により尿に含まれる微生物が死んでしまうのを防ぐことができる。また、トラップユニット３０内において短期間で薬剤が溶けきってしまうことを防ぎ、長期間性能を維持することが可能となる。
【００３４】
本発明において用いられる薬剤３１の形状は円柱、三角柱、四角柱などが考えられ、特に限定されない。円柱の場合、トラップユニット３０内に配置しやすい。
【００３５】
図に本発明において用いられる薬剤の具体的な例を示す。図４は四角柱の薬剤である。図５は円柱の薬剤である。
【００３６】
本発明において、薬剤３１は、上面３３と、上面３３と対向する底面３４と、上面と底面との外周をつなぐ外側面３２と、を有し、上面３３、底面３４および外側面３２の少なくとも１つの面には、薬剤の内部に尿が入りこむような空間を形成する溝又は凹み３５が形成されていることが好ましい。具体的な例を図６に示す。薬剤３１は、上面３３および底面３４の双方に凹みが形成され、双方の凹みが連通した貫通孔が形成されていてもよい。これにより、薬剤３１が尿と接触し溶解するのに伴い、尿と接触する薬剤の表面積が次第に大きくなるため、薬剤３１の溶解速度を一定に保つことが可能となる。
【００３７】
トラップユニット３０は、尿によって封水しているため、トラップユニット３０内に配置された薬剤３１は尿に浸漬している。よって、小便器の使用頻度によらず、薬剤３１が尿との接触により溶解し消失しない限り、薬剤３１は尿と接触しており、薬剤３１は溶解していると考えられる。これにより、アンモニア臭の発生や、トラップユニット３０内や配管ＷＴ内での尿石の発生を抑制することが可能となる。
【００３８】
（薬剤の材料）
本発明において用いられる薬剤３１は、酸を含む。薬剤３１が酸を含むことで、トラップユニット３０内に存在するウレアーゼの活性を抑制し、尿素がアンモニアに分解されにくくなる。これにより、アンモニアの発生を抑制することが可能となる。また、アンモニアが生成したとしても、アンモニアを中和することができるため、トラップユニット内のｐＨを低く保つことができる。
【００３９】
薬剤３１に含まれる酸の飽和溶解度は２０ｇ/１００ｍｌ以下である。これにより、薬剤が尿に溶けたとしても、尿に含まれる微生物が死んでしまうことを防ぐことができる。さらに好ましくは１０ｇ/１００ｍｌ以下である。これにより、トラップユニット内において短期間で薬剤が溶けきってしまうことを防ぎ、長期間トラップユニット内のｐＨを低く維持することが可能となる。また、薬剤３１に含まれる酸の飽和溶解度は０．１ｇ/１００ｍＬ以上であることが好ましい。これにより、トラップユニット中でアンモニアが発生したとしても、発生したアンモニアを中和することが可能となる。
【００４０】
本発明において、好ましい酸として、Ｌ−アスコルビン酸、ＤＬ−マンデル酸、シュウ酸、コハク酸、アジピン酸、ピクリン酸、尿酸、無水フタル酸、フタル酸、フマル酸、ｐ−ヒドロキシ安息香酸、安息香酸、エデト酸からなる群から選ばれる一種以上を用いることができる。さらに好ましくは、無水フタル酸、フタル酸、フマル酸、安息香酸からなる群から選ばれる一種以上を用いることができる。いずれの酸も飽和溶解度は２０ｇ/１００ｍｌ以下であり、微生物製剤に含まれる微生物が死んでしまうのを抑制しつつ、トラップユニット内においてアンモニアの発生を長期間抑制することができる。
【００４１】
薬剤３１は、尿石の生成を抑制する材料として、殺菌剤を含むことが好ましい。殺菌剤を含むことで尿に含まれる雑菌を死滅させ、アンモニアの発生を抑制することが可能となる。尿石の生成を抑制する材料として殺菌剤のみを用いる場合は、酸と同様に飽和溶解度は２０ｇ/１００ｍｌ以下であることが好ましい。これにより、トラップユニット内において短期間で薬剤が溶けきってしまうことを防ぐことが可能となる。
【００４２】
本発明において用いられる薬剤３１の材料として、他に界面活性剤、香料などを含んでいても良い。香料を含むことで、アンモニア臭が発生したとしても、臭いのマスキングが可能となる。
【００４３】
（微生物製剤）
本発明において、トラップユニット内のアンモニア臭の発生や、トラップユニット内や配管内での尿石の発生を防止するために、酸を含む薬剤３１と微生物製剤４０とを併用する。
【００４４】
本発明において用いられる微生物製剤４０に含まれる微生物は、アンモニア資化性を有するものであれば、特に制限されないが、具体的には、バチルス菌、パラコッカス菌、チオスフェラ菌からなる群から選ばれる一種以上を用いることができる。
【００４５】
酸を含む薬剤３１と微生物製剤４０とが接触すると、酸の影響により微生物製剤４０に含まれる微生物が死んでしまう。よって、本発明において薬剤３１と微生物製剤４０は接触しないように配置される。
【００４６】
本発明において、微生物製剤４０は、小便器の使用者の尿と接触する場所に配置される。具体的には、トラップユニット３０内または小便器の底面開口部１０６の上に配置されていることが好ましい。これにより、微生物製剤に含まれる微生物は尿と接触し、トラップユニット３０内に流れ込み、尿に溶解する。したがって、トラップユニット３０内で発生したアンモニアを資化し、トラップユニット３０内のアンモニア量を抑制することが可能となる。その結果、アンモニア臭の発生や、尿石を抑制することが可能となる。薬剤３１と微生物製剤４０とをトラップユニット内に配置する場合、図７に示すようにトラップユニット３０の底面３０２に薬剤３１を配置し、トラップユニット３０に設けられたガイド３０３の上に微生物製剤４０を配置することで、薬剤３１と微生物製剤４０とが接触しないように配置することが好ましい。この場合、ガイド３０３は、薬剤３１と接触しないように設けられていることが好ましい。これにより、薬剤３１と微生物製剤４０とが接触しないようにトラップユニット３０内に配置される。ガイド３０３はトラップユニット３０の上面付近に設けられていることがさらに好ましい。これにより、トラップユニット３０の容積に対して大部分を占めるような大きい薬剤３１を配置する場合であっても、トラップユニット３０内に薬剤３１と微生物製剤４０とが接触しないように配置できる。
【００４７】
微生物製剤４０が小便器の底面開口部１０６の上に配置されている場合、薬剤３１と微生物製剤４０は接触していないため、微生物製剤に含まれる微生物が死んでしまうのを抑制できる。また、トラップユニット３０内は薬剤３１によりｐＨの上昇が抑制されている。よって、尿と接触してトラップユニット３０内に流れ込んだ微生物製剤４０に含まれる微生物が増殖し、アンモニア臭の発生や尿石の発生を防止することができる。
【００４８】
（補助薬剤の併用）
本発明において、本発明で用いられる薬剤３１や微生物製剤４０とは別に、補助薬剤を併用してもよい。この補助薬剤は、本発明で用いられる薬剤３１の効果を妨げないものであればとくに限定されない。補助薬剤に含まれることが可能な材料としては、界面活性剤、香料、枯草菌、消臭剤、着色剤、油性成分の乳化可溶化剤、キレート剤、増量剤、溶解性調整剤、漂白剤、撥水剤、充填剤、ｐＨ調整剤、増粘剤、薬剤安定性向上剤、成型性向上剤、無機系ビルダー、有機系ビルダー、酵素などが挙げられる。界面活性剤としては、陰イオン性界面活性剤、陽イオン界面活性剤、両性界面活性剤、非イオン界面活性剤などが挙げられる。香料としては、植物香料、動物性香料、合成香料などが挙げられる。補助薬剤を用いる目的に合わせて用いる材料を適宜選択できる。補助薬剤は、選択した材料を混合し、これを所望の形状に成型して得ることができる。補助薬剤の形状は、トラップユニット３０内に配置できるものであれば、特に限定されない。補助薬剤は、本発明で用いられる薬剤３１や微生物製剤４０の効果を妨げないように配置されていれば、トラップユニット３０内のどこに配置されていても良い。例えば、トラップユニット３０内の底面３０２に、本発明で用いられる薬剤３１や微生物製剤４０と接触しないように配置されることが挙げられる。
【実施例】
【００４９】
本発明を以下の例に基づいて具体的に説明するが、本発明はこれらの例に限定されるものではない。
【００５０】
（実施例）
夜間などの、小便器が長時間未使用の場合のトラップユニット内において、薬剤と微生物製剤とが接触することで微生物製剤に含まれる微生物が死滅してしまう場合の薬剤に含まれる酸の飽和溶解度を評価した。具体的な試験条件を以下に示す。特定の飽和溶解度を有する酸を含む薬剤として、表１に示す特定の濃度でクエン酸が溶解した生理食塩水２５ｍＬを用いた。微生物として５×１０６個に調整したバチルス菌を用いた。生理食塩水にバチルス菌を添加し、常温で２０時間放置し、２０時間放置後のバチルス菌の生菌数を調べた。バチルス菌の生菌数は、生菌を適宜希釈し、標準寒天培地で混釈後、３６℃で２４時間培養した。その後、コロニー数をカウントし、コロニー数から１ｍＬ当たりの生菌数を算出した。試験の結果を表１および図８に示す。図８は、横軸はクエン酸濃度（ｇ／１００ｍＬ）であり、縦軸はバチルス菌の生菌数（ｃｆｕ／ｍＬ）である。その結果、２０ｇ／１００ｍＬまではバチルス菌が生存していた。２０ｇ／１００ｍＬ以上になると、バチルス菌の生菌数が減り、３０ｇ／１００ｍＬ以上になると、バチルス菌が不検出となった。
【００５１】
【表１】
0006550833.tif 000002
【符号の説明】
【００５２】
ＵＳ：小便器
ＷＬ：トイレ室の壁
ＷＴ：配管
１０：小便器本体
１０１：ノズルカバー
１０２：人体検知センサー
１０３：ボウル部
１０４：立壁部
１０５：底面部
１０６：底面開口部
２０：衛生維持装置
２０１：コントロールユニット
２０２：ノズルユニット（液剤吐出手段）
２０３：ボウル乾燥ファン
３０：トラップユニット
３０１：胴体部
３０２：底面
３０３：ガイド
３１：薬剤
３２：側面
３３：上面
３４：底面
３５：溝または凹み
４０：微生物製剤
【図１】
0006550833.tif 000003
【図２】
0006550833.tif 000004
【図３】
0006550833.tif 000005
【図４】
0006550833.tif 000006
【図５】
0006550833.tif 000007
【図６】
0006550833.tif 000008
【図７】
0006550833.tif 000009
【図８】
0006550833.tif 000010